(57)【要約】      （修正有）【課題】突出物の切断作業を行う際に、初心者であってもベース面と面一の綺麗な仕上がりの切断面が得られ、ベース面を傷つけることもなく、切断作業後の仕上げ作業を不要にして作業効率を高めることができる突出物切断具を提供する。【解決手段】長辺Ｌ１に鋸刃２Ａが形成された刃体２、刃体２の上面に密着して刃体２の長手方向に延び、長辺Ｌ１から所定距離Ｄ隔てた状態で刃体２に取り付けられた背板体３、背板体３に立設された支柱体４及び支柱体４の上端部に刃体２の長手方向に延びるように横設された柄体５を備えた。背板体３が刃体２に密着した状態で刃体２の長手方向に延びているため突出物の切断作業時における刃体２の浮き上がりやぶれを抑制することができ、作業者の手（柄体５）に近い鋸刃２Ａにより突出物を切断することから、作業者の力をよりダイレクトに突出物に作用させながら作業を行うことができる。【選択図】図２
0003165140.tif 000002
【実用新案登録請求の範囲】
【請求項１】
ベース面から突出している突出物を切断する突出物切断具であって、
略矩形状平板の両長辺の少なくとも一方に鋸刃又は切刃が形成された刃体と、
該刃体の上面に密着する下面を有して前記刃体の長手方向に延び、前記突出物を切断する際に前記突出物と干渉しないように前記鋸刃又は切刃が形成された長辺から所定距離隔てた状態で前記刃体に取り付けられた背板体と、
該背板体に立設された支柱体と、
該支柱体の上端部に前記刃体の長手方向又は短手方向に延びるように横設された柄体と、
を備えたことを特徴とする突出物切断具。
【考案の詳細な説明】
【技術分野】
【０００１】
本考案は、ベース面から突出している突出物を切断する切断具に関するものである。
【背景技術】
【０００２】
ベース面（例えば床面）から突出している突出物である埋木（ダボ）の切断は、柄の前方に鋸板を取り付けた構造である柄と鋸板とが同一直線上にある通常の鋸（例えば、特許文献１参照。）を用いて行うのが一般的である。すなわち、ベース面を傷つけないようにするためにあさりの無い鋸刃を用い、ベース面から離した柄を持って作業を行うために鋸板をしならせた状態としながらも鋸板にベース面に密着させた部分を形成するようにして、ベース面に密着させた部分の鋸刃で埋木の切断を行っている。
また、このようなベース面から突出している突出物を切断する切断具として、鋸板の基部を側方へ屈曲させて柄を鋸板の側方へ位置させてなる鋸（例えば、特許文献２参照。）、鋸板の後端部に取り付けられた略プレート状の取付基部に、その上方へ離間した状態で略水平の把持部を取り付けてなる鋸（例えば、特許文献３参照。）もある。
【先行技術文献】
【特許文献】
【０００３】
【特許文献１】特開２００８−２０７２８９号公報（図１）
【特許文献１】実公昭５７−４０１６３号公報（第２図）
【特許文献２】実開平７−４０１０１号公報（図１３−１４）
【考案の概要】
【考案が解決しようとする課題】
【０００４】
上述のとおり通常の鋸を用いて行う埋木の切断作業は、鋸板をしならせながら行うため、作業者の熟練の程度によって切断面の状態が大きく異なるものとなり、ベース面と埋木の切断面とが面一にならずに切断面に凹凸や傷がついたりすることも多く、さらにベース面を傷つけてしまう場合もあることから、埋木の切断後に切断面やベース面を仕上げるために鉋がけ作業やサンドペーパーがけ作業を行う必要がある。
【０００５】
これに対して、特許文献２及び３の突出物切断具では、鋸板をしならせながら作業を行う必要がないため、作業者の熟練の程度の影響を受けにくいものである。
しかしながら、作業者が持つ柄が鋸板の基部（後端部）側に位置しており、作業者が柄を持ってその前方に延びる鋸板に形成された鋸刃により埋木等の突出物を切断する構成であることから、片持ちで前方に延びる板厚の薄い鋸板が切断作業の際に浮き上がったりぶれが生じることがあるため、突出物切断具により切断した突出物の切断面をその外側のベース面と面一の綺麗な面にすることができない場合がある。
よって、切断面がその外側のベース面と面一の綺麗な面になるように突出物を安定かつ確実に切断し、この切断作業後の仕上げ作業を無くして作業効率を高めるという観点からは改良の余地がある。
【０００６】
そこで本考案が前述の状況に鑑み、解決しようとするところは、突出物の切断作業を行う際に、作業者の熟練の程度の影響を受けずに初心者であってもベース面と面一の綺麗な仕上がりの切断面が得られ、ベース面を傷つけることもなく、切断作業後の仕上げ作業を不要にして作業効率を高めることができる突出物切断具を提供する点にある。
【課題を解決するための手段】
【０００７】
本考案に係る突出物切断具は、前記課題解決のために、ベース面から突出している突出物を切断する突出物切断具であって、略矩形状平板の両長辺の少なくとも一方に鋸刃又は切刃が形成された刃体と、該刃体の上面に密着する下面を有して前記刃体の長手方向に延び、前記突出物を切断する際に前記突出物と干渉しないように前記鋸刃又は切刃が形成された長辺から所定距離隔てた状態で前記刃体に取り付けられた背板体と、該背板体に立設された支柱体と、該支柱体の上端部に前記刃体の長手方向又は短手方向に延びるように横設された柄体とを備えたことを特徴とする。
【０００８】
このような構成によれば、突出物を切断する際に干渉しないように背板体が刃体の鋸刃又は切刃が形成された長辺から所定距離隔てた状態で取り付けられているため、鋸刃又は切刃で突出物を切断する際に背板体が邪魔になることがない。
また、背板体が刃体に密着した状態で刃体の長手方向に延びていることから、鋸刃又は切刃が形成された板厚の薄い刃体が背板体により補強されて特に面外方向の剛性が非常に大きくなるため、突出物の切断作業時における刃体の浮き上がりやぶれを抑制することができる。
さらに、支柱体の上端部に横設された、刃体の長手方向に延びる柄体を作業者が握った状態で、この作業者の手（柄体）に近い鋸刃又は切刃により突出物を切断することから、作業者の力をよりダイレクトに突出物に作用させながら作業を行うことができる。
【０００９】
したがって、突出物の切断作業を行う際に作業者の熟練の程度の影響を受けることがなく、初心者であってもベース面と面一の綺麗な仕上がりの切断面を得ることができる。
その上、刃体に鋸刃を形成して突出物の切断を行う際には、鋸刃をあさりが無いものとすれば、上述のように刃体の浮き上がりやぶれを抑制することができることと相俟ってベース面を傷つけることがない。
よって、突出物切断具を用いた切断作業後の鉋がけ作業やサンドペーパーがけ作業等の仕上げ作業を不要にして作業効率を高めることができる。
さらにまた、背板体の横にある鋸刃又は切刃により突出物を切断することから、全長が短く軽量かつコンパクトであるため、携帯性に優れるとともに製造コストを低減することができる。
【考案の効果】
【００１０】
以上のように、本考案に係る突出物切断具によれば、背板体が刃体に密着した状態で刃体の長手方向に延びているとともに背板体の横にある鋸刃又は切刃により突出物を切断することから、突出物の切断作業時における刃体の浮き上がりやぶれを抑制することができるため、突出物の切断作業を行う際に作業者の熟練の程度の影響を受けることがなく、初心者であってもベース面と面一の綺麗な仕上がりの切断面を得ることができ、ベース面を傷つけることもなく、切断作業後の仕上げ作業を不要にして作業効率を高めることができるという顕著な効果を奏する。
【図面の簡単な説明】
【００１１】
【図１】本考案の実施の形態に係る突出物切断具により突出物を切断している状態を示す斜視図である。
【図２】同突出物切断具の斜視図である。
【図３】同突出物切断具の正面図である。
【図４】同突出物切断具の平面図である。
【図５】刃体の長手方向の略全長にわたって背板体を密着させた変形例を示す斜視図である。
【図６】刃体の両長辺の両方に鋸刃を形成した変形例を示す平面図である。
【図７】（ａ）〜（ｄ）は刃体を形成する略矩形状平板の変形例を示す斜視図であり、（ｅ）は刃体に鋸刃ではなく切刃を形成した変形例を示す斜視図である。
【図８】背板体、支柱体及び柄体を一体成形した変形例を示す斜視図である。
【図９】柄体を刃体の長手方向又は短手方向に延びるように支柱体の上端部に横設した変形例を示す斜視図である。
【考案を実施するための形態】
【００１２】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、略矩形状の刃体２の短辺Ｓ２からＳ１へ向かう長手方向の前側を前、後側を後とし、左右は前方に向かっていうものとする。また、左方から見た図を正面図とする。
【００１３】
図面を見やすくするために作業者を省略して示す図１の突出物切断具により突出物を切断している状態の斜視図のように、本考案の実施の形態に係る突出物切断具１は、左右の長辺Ｌ１，Ｌ２及び前後の短辺Ｓ１，Ｓ２により形成される略矩形状平板である刃体２の左側の長辺Ｌ１にあさりの無い鋸刃２Ａが形成されており、ベース面Ｂから突出している突出物である例えば埋木Ａの切断を鋸刃２Ａにより行うものである。
図２〜図４に示すように、突出物切断具１は、略矩形状の刃体２、刃体２の上面に密着する下面を有して刃体２の長手方向に延び、埋木Ａを切断する際に干渉しないように鋸刃２Ａが形成された左側の長辺Ｌ１から右方へ所定距離Ｄ隔てた状態で刃体２に取り付けられた略矩形状の背板体３、背板体３に立設された略四角柱状の支柱体４、及び、支柱体４の上端部に刃体２の長手方向（前後方向）に延びるように横設された略円柱状の柄体５からなる。
【００１４】
ここで、刃体２、背板体３及び支柱体４は鋼製、柄体５は例えば檜である木製であり、背板体３は例えば接着により刃体２に取り付けられ、支柱体４は例えば溶着により背板体３に立設され、柄体５は、例えばその前方及び下方に開口した図示しない断面矩形の柄溝内に支柱体４の上端を後方に屈曲させて先端を尖らせた打込片が打ち込まれた後に前方から埋木片が圧入されることにより、支柱体４の上端部に横設される。
なお、背板体３は、一枚の板状のものに限定されるものではなく、複数の部品により構成してもよく、一方の構成部品を刃体２の上面に密着する下面を有して刃体２の長手方向に延びるものとして、この一方の構成部品に対して他方の構成部品を着脱可能なものとしてもよい。
【００１５】
次に突出物切断具１の変形例について説明する。
背板体３の長手方向の全長は、図４に示すような刃体２の長手方向長さの７０〜８０％程度のものに限定されるものではなく、切断する突出物の材質や形状等の諸元によっては、刃体２の長手方向長さの７０％以下、例えば刃体２の長手方向長さの３０〜５０％程度であってもよく、図５に示すような刃体２の長手方向の略全長にわたるものであってもよい。
また、刃体２は、図４に示すようなその左側の長辺Ｌ１に鋸刃２Ａが形成された片刃のものではなく、図６に示すような左右両側の長辺Ｌ１，Ｌ２に鋸刃２Ａ，２Ａが形成された両刃のものであってもよく、両刃のものとすれば、作業者が右利きである場合及び左効きである場合の両方において作業性がよく、作業場所に応じて左右の手を持ち替えて作業を行うこともできる。
【００１６】
さらに、刃体２は、上述のとおり左右の長辺Ｌ１，Ｌ２及び前後の短辺Ｓ１，Ｓ２により形成される略矩形状平板であるが、この略矩形状平板には、図７（ａ）のように前後の短辺Ｓ１，Ｓ２が平行でないもの、図７（ｂ）のように前側の短辺Ｓ１が山形のもの、図７（ｃ）のように前側の短辺Ｓ１が円弧状のもの、図７（ｄ）のように鋸刃２Ａが形成された左側の長辺Ｌ１が円弧状のもの等、長手方向（前後方向）に延びた様々な形状のものが含まれる。
ここで、図７（ｄ）のように円弧状の鋸刃２Ａを形成した場合は、刃体２の鋸刃２Ａが形成された長辺Ｌ１と背板体３との距離は、例えば図４のような構成における所定距離Ｄと異なり、円弧状の鋸刃２Ａにより埋木Ａを切断する位置によって変化するが、このような場合であっても、背板体３は、埋木Ａを切断する際に干渉しないように、鋸刃２Ａ（長辺Ｌ１）から所定距離を隔てた状態で刃体２に取り付けられる。
【００１７】
さらにまた、刃体２には、切断する突出物の材質や形状等の諸元によっては、鋸刃２Ａではなく図７（ｅ）のように切刃２Ｂを形成してもよい。
また、図８に示すように、複数の支柱体４を背板体３に立設してもよく、背板体３、支柱体４及び柄体５を、例えばポリアセタール、ポリプロピレン、ポリエチレンテレフタレート、ナイロン若しくはＡＢＳ等の合成樹脂の射出成形又はアルミニウム、マグネシウム若しくは亜鉛等のダイカストにより一体成形してもよい。
さらに、支柱体４の上端部に横設される柄体５は、図２に示すような刃体２（背板体３）の長手方向（前後方向）に延びるように横設するのではなく、図９に示すような刃体２の短手方向（左右方向）に延びるように横設してもよい。
【００１８】
以上のような構成の突出物切断具１によれば、突出物を切断する際に干渉しないように背板体３が刃体２の鋸刃２Ａ又は切刃２Ｂが形成された長辺から所定距離隔てた状態で取り付けられているため、鋸刃２Ａ又は切刃２Ｂで突出物を切断する際に背板体３が邪魔になることがない。
また、背板体３が刃体２に密着した状態で刃体２の長手方向に延びていることから、鋸刃２Ａ又は切刃２Ｂが形成された例えば０．４ｍｍ〜０．８ｍｍ程度である板厚の薄い刃体２が背板体３により補強されて特に面外方向（上下方向）の剛性が非常に大きくなるため、突出物Ａの切断作業時における刃体２の浮き上がりやぶれを抑制することができる。
さらに、支柱体４の上端部に横設された、刃体２の長手方向に延びる柄体５を作業者が握った状態で、この作業者の手（柄体５）に近い鋸刃２Ａ又は切刃２Ｂにより突出物Ａを切断することから、作業者の力をよりダイレクトに突出物Ａに作用させながら作業を行うことができる。
【００１９】
したがって、突出物Ａの切断作業を行う際に作業者の熟練の程度の影響を受けることがなく、初心者であってもベース面Ｂと面一の綺麗な仕上がりの切断面Ｃ（図１参照。）を得ることができる。
その上、刃体２に鋸刃２Ａを形成して突出物Ａの切断を行う際には、鋸刃２Ａをあさりが無いものとしているので、上述のように刃体２の浮き上がりやぶれを抑制することができることと相俟ってベース面Ｂを傷つけることがない。
よって、突出物切断具１を用いた切断作業後の鉋がけ作業やサンドペーパーがけ作業等の仕上げ作業を不要にして作業効率を高めることができる。
さらにまた、背板体３の横にある鋸刃２Ａ又は切刃２Ｂにより突出物Ａを切断することから、全長が短く軽量かつコンパクトであるため、携帯性に優れるとともに製造コストを低減することができる。
【符号の説明】
【００２０】
Ａ  埋木（突出物）
Ｂ  ベース面
Ｃ  切断面
Ｄ  所定距離
Ｌ１，Ｌ２  長辺
Ｓ１，Ｓ２  短辺
１  突出物切断具
２  刃体
２Ａ  鋸刃
２Ｂ  切刃
３  背板体
４  支柱体
５  柄体
【図１】
0003165140.tif 000003
【図２】
0003165140.tif 000004
【図３】
0003165140.tif 000005
【図４】
0003165140.tif 000006
【図５】
0003165140.tif 000007
【図６】
0003165140.tif 000008
【図７】
0003165140.tif 000009
【図８】
0003165140.tif 000010
【図９】
0003165140.tif 000011